(57)【要約】【課題】従来のブロック体では、実際の選手の掌、腕などの硬さに比べて、ボールを当てた際の跳ね返りにバラツキがあり、特に、表面がかまぼこ状になっているものでは、ボールがかまぼこ状の頂上に当たる場合と、かまぼこ状の谷間に当たる場合等で、跳ね返りの強さや方向が実戦とは異なることとなり、実際の練習の場合との差異が大きい不具合を有する。本発明では、上記不具合を解消することを目的として、実践のブロックに近い反発力となるブロック体を開発することにある。【解決手段】ブロック体として、バレーボールが当たる表面層として、比較的反発性に優れた第１層１１か、衝撃吸収性に優れた第２層１２のいずれか一方を用い、他方をその表面層の後側に重ねて配設し、さらに裏側にベース板材を第３層１３として積層した構造とした。【選択図】図３
2008110163.tif 000002
【特許請求の範囲】
【請求項１】
バレーボールのブロック体において、該ブロック体が高反発性部材からなる第１層と、クッション性を備えた衝撃吸収部材からなる第２層と、ベース板材からなる第３層とからなることを特徴とするバレーボールのブロック体。
【請求項２】
請求項１記載のバレーボールのブロック体において、該第１層の後側に第２層が配設され、該第２層の後側に第３層が配設されていることを特徴とするバレーボールのブロック体。
【請求項３】
請求項1又は２記載のバレーボールのブロック体において、該第１層が１００ｍｍ〜２００ｍｍのリバウンド性を備え、該第２層は該第１層のリバウンド性よりも低くて１５０ｍｍ以下のリバウンド性を備え、該第３層が２２０ｍｍ〜３２０ｍｍのリバウンド性を備え、該第１層、該第２層及び該第３層を積層した際のリバウンド性が１００ｍｍ〜２２０ｍｍであることを特徴とするバレーボールのブロック体。
【請求項４】
請求項１ないし３のいずれか１つに記載のバレーボールのブロック体において、該第１層又は第２層のいずれか一方がブロック体の表面層になり、他方が該表面層の後側に配設され、該表面層の表面がフラット面からなることを特徴とするバレーボールのブロック体。
【請求項５】
請求項１ないし４のいずれか1つに記載のバレーボールのブロック体において、該ブロック体がカバーで覆われて、該カバーの表面部分が中央部分と周辺部分とで別色に形成されていることを特徴とするバレーボールのブロック体。
【請求項６】
請求項５記載のバレーボールのブロック体において、該カバーに、該ブロック体を支持するフレームが着脱自在に配設されていることを特徴とするバレーボールのブロック体。
【請求項７】
請求項６記載のバレーボールのブロック体において、該フレームは該ブロック体の位置から下方に伸びる2本の支柱を有し、該支柱の下方部分にグリップ部を備え、該クリップ部に衝撃吸収材が設けられていることを特徴とするバレーボールのブロック体。
【請求項８】
請求項５ないし７のいずれか1つに記載のバレーボールのブロック体において、該第２層の下端面が該第１層の下端面よりも窪んで形成され、該窪みに該ネットの上端部が位置し、該第１層、該窪み及び該フレームとで該ネットの該上端部を跨いで配置可能となっていることを特徴とするバレーボールのブロック体。
【発明の詳細な説明】
【技術分野】
【０００１】
本発明は、バレーボールのアタック等の練習やブロックされたボールを拾う練習等の際に使用するバレーボールのブロック体に関する。
【背景技術】
【０００２】
従来、バレーボ−ルのブロックの練習には、長方形の枠体にネットを張った部材とか椅子の背の部分などが使用されていた。これらの部材を、例えば、バレーボールのコ−チが、前記ネット部分や椅子の背の部分がバレーボ−ルのネットから若干上に出るように支持し、選手たちは、ボ−ルを前記ネットや椅子の背の部分に打ち付け、前記ネットや椅子の背によってブロックされて、跳ね返ってくるボ−ルの処理の練習をしていた。
【０００３】
このようなブロック部材では、次のような欠点があった。
【０００４】
(1)前記ブロック部材が、選手の掌、腕などの硬さに比べ、硬いので、跳ね返りのボ−ルのスピ−ドが速く過ぎて、実際の局面に合った練習ができない。
【０００５】
(2)前記ブロック部材の角などにボ−ルが当たると、実戦とは全く違った方向にボ−ルが飛んでいき、実際の局面に合った練習ができない。
【０００６】
(3)前記ブロック部材を手で支持するので、支持する人が疲れる。
【０００７】
上記欠点を解消するものとして、例えば、バレーボール用のブロックマットとして形成されたものが知られている（特許文献１）。このブロックマット１００は、図７及び図８に示すように、左右側面及び上面を連続的にファスナ１１１で結合し、前面１１２と空気抜き穴を設けた背面１１４を、適宜間隔を設けて隔壁材１１５で結合して区切り、背面１１４に、下方が開放し、下縁部に適宜間隔をおいてはと目を設けた袋体１１７を取付けてなる帆布などの布地からなる箱状部材Ａと、上部を袋体１１７に挿入装着したとき、袋体１１７の下縁よりも若干下側に横桟を設けてなる支持部材Ｂとの組合せからなり、実施に際しては、空間部に発泡ポリスチロ−ル板１１９とウエス１２０などを詰めた箱状部材Ａの袋体１１７に支持部材Ｂを挿入装着して使用するようになっている。
【０００８】
また、別のバレ−ボ−ル用のブロックマットとして、左右側面及び上面を連続的にファスナで結合し、背面を、適宜間隔を設けて隔壁材で結合して区切り、隔壁材で仕切られた空間部に、上面と前後左右の側面に丸味を付けた略かまぼこ状の発泡ポリスチロ−ルからなる上部材を前面側に位置するように装着し、残余の空間部に、複数枚の板状の発泡ポリスチロ−ルからなる下部材を充填した箱状部材と硬質ポリエチレンパイプからなる軽量な支持部材とから構成されたものが知られている（特許文献２）。
【特許文献１】実用新案登録第３０６１８７２号公報
【特許文献２】実用新案登録第３１０４０００号公報
【発明の開示】
【発明が解決しようとする課題】
【０００９】
特許文献１に示すものでは、仕切の空間部でボールが当たる前面部にウエスを充填しているので、跳ね返りの方向が実戦と異なる。また、ウエスの充填状態によって跳ね返り方にバラツキが生じ、ウエスが吸湿し重くなるなどの不具合を有する。
【００１０】
特許文献2に示すものでも、表面がかまぼこ状になっているために、ボールがかまぼこ状の頂上に当たる場合と、かまぼこ状の谷間に当たる場合等で、跳ね返りの強さや方向が実戦とは異なることとなり、実際の練習の場合との差異が大きい不具合を有する。
【００１１】
本発明では、上記従来技術の不具合を解消するために、実際のバレーボールを選手の手でブロックした際の跳ね返り強さを測定し、この測定値に近いブロック体について、種々なものをテストした。その結果、比較的反発性に優れたものと、衝撃吸収性に優れたものとを重ねて、一方をバレーボールが当たる表面層とし他方をその裏側に重ねて使用して、反発性と衝撃吸収性とのバランスを取り、更にその裏側にベース板材を配設することで、実際の練習に近い反発性を有するものを見い出した。
【課題を解決するための手段】
【００１２】
具体的には、請求項１の発明は、バレーボールのブロック体において、該ブロック体が高反発性部材からなる第１層と、クッション性を備えた衝撃吸収部材からなる第２層と、ベース板材からなる第３層とからなることを特徴とする。
【００１３】
請求項２の発明は、請求項１記載のバレーボールのブロック体において、該第１層の後側に第２層が配設され、該第２層の後側に第３層が配設されていることを特徴とする。
【００１４】
請求項３の発明は、請求項1記載のバレーボールのブロック体において、該第１層が１００ｍｍ〜２００ｍｍのリバウンド性を備え、該第２層は該第１層のリバウンド性よりも低くて１５０ｍｍ以下のリバウンド性を備え、該第３層が２２０ｍｍ〜３２０ｍｍのリバウンド性を備え、該第１層、該第２層及び該第３層を積層した際のリバウンド性が１００ｍｍ〜２２０ｍｍであることを特徴とする。
【００１５】
請求項４の発明は、請求項１ないし３のいずれか１つに記載のバレーボールのブロック体において、該第１層又は第２層のいずれか一方がブロック体の表面層になり、他方が該表面層の後側に配設され、該表面層の表面がフラット面からなることを特徴とする。
【００１６】
請求項５の発明は、請求項１ないし４のいずれか1つに記載のバレーボールのブロック体において、該ブロック体がカバーで覆われて、該カバーの表面部分が中央部分と周辺部分とで別色に形成されていることを特徴とする。
【００１７】
請求項６の発明は、請求項５記載のバレーボールのブロック体において、該カバーに、該ブロック体を支持するフレームが着脱自在に配設されていることを特徴とする。
【００１８】
請求項７の発明は、請求項６記載のバレーボールのブロック体において、該フレームは該ブロック体の位置から下方に伸びる2本の支柱を有し、該支柱の下方部分にグリップ部を備え、該クリップ部に衝撃吸収材が設けられていることを特徴とする。
【００１９】
請求項８の発明は、請求項５ないし７のいずれか1つに記載のバレーボールのブロック体において、該第２層の下端面が該第１層の下端面よりも窪んで形成され、該窪みに該ネットの上端部が位置し、該第１層、該窪み及び該フレームとで該ネットの該上端部を跨いで配置可能となっていることを特徴とする。
【発明の効果】
【００２０】
請求項１の発明によれば、実際のバレーボールの跳ね返り状態に近いものが得られ、アタックの練習やブロックされたボールを拾う際の練習等に好適である。
【００２１】
請求項２の発明によれば、実際のバレーボールの跳ね返り状態に近いものが得られ、アタックの練習やブロックされたボールを拾う際の練習等に好適である。
【００２２】
請求項３の発明によれば、実際のバレーボールの跳ね返り状態に近いものが安定して生産性良く得られる。
【００２３】
請求項４の発明によれば、ボールの当たる位置による跳ね返りのバラツキを無くすことができる。
【００２４】
請求項５の発明によれば、表面部分の中央部分と周辺部分とが別色になっているので、中央部分に当てることや周辺部分に当てることの練習を効果的に行うことができる。
【００２５】
請求項６の発明によれば、安定してブロック体を確実に保持できる。
【００２６】
請求項７の発明によれば、ボールがブロック体に当たった際に持つ人の衝撃を低減できる。
【００２７】
請求項８の発明によれば、ブロック体を持つ人の負担を軽減できる。
【００２８】
一般的に、スパイクしたボールが人の手に当たった時、人の手はスパイクの衝撃によって、少し後に押される。後に押されても、ブロックした人の力により、その力を跳ね返そうとする力が生まれる。それぞれの力の強弱により、ボールが鋭く跳ね返ったり、ゆっくり返ったり、衝撃に負けて後に飛んでいったりする。即ち、ボールが手に当たった時、そこには反発力・吸収力の力関係がある。
【００２９】
このことを踏まえて、本発明では、実際に人がスパイクして、それを人が手で受ける状態を再現して、スパイク力とブロック力とを数値で表わすようにした。バレーボールとして、直径２１０ｍｍ、重量２７０ｇ、内圧０．３２ｈｐａの５号球を使用した。このバレーボールを使用して、アタッカーの平均的なスパイク速度を調査した結果、平均速度は時速６０ｋｍであった。そのために、このスピードでバレーボールを人の手の当てて、その跳ね返り距離を実際に計測し、１００回繰り返した。その結果、跳ね返り距離の平均値は６０．４５ｃｍであった。この計測結果から、発明者はブロック時の理想的な跳ね返り距離を６０ｃｍと設定した。そして、図１に示すように、跳ね返り距離が６０ｃｍになるブロック体１０について、種々のタイプをテストした。その結果、本発明では、上記の跳ね返り距離を得られるブロック体として、図３に示すように、ボールBが当たる表面には高反発性を備える第１層１１、その後側に配設した衝撃吸収性を備える第２層１２、その後側に配設したベース板材１３からなるブロック体１０とすると、上記跳ね返り距離となり、実際に人が手で受ける際のブロックに近似していることが判った。なお、第１層と第２層とを逆にしても、上記と同様な結果が得られることも判明した。
【００３０】
第１層１１は、ボールBが手に当たった時の跳ね返り距離を再現するために使用されるもので、反発力の強い素材で、ボールBが当たった際の耐磨耗性を有するものが好適である。例えば、発泡ポリエチレン、発泡ポリウレタン等の発泡樹脂材で高反発力を有するもの、天然皮革、合成皮革などの皮革材、エラストマー等のゴム材等である。
【００３１】
また、第１層１１のみではボールBが壁に当てた時のように大きく跳ね返るので、第２層１２は、第１層１１の反発性を和らげるもので、クッション性のある素材、即ち衝撃吸収性のある素材を使用することが好適である。例えば、ウレタンスポンジ等の低反発性の発泡樹脂材、シリコーンゲル、中空体、エアキャップ等である。
【００３２】
第１層１１及び第２層１２は、柔軟性に富んでおり形状維持性が低いので、第１層１１と第２層１２のみではボールBが当たった際に、当たったところが窪んでしまい、反発力が不足する結果となる。この場合の形状維持性を強化し、ブロック体１０が窪むことを低減して反発性を維持するために、第３層１３として、硬い板材を使用することが好ましい。特に、ボールBが当たった際に強く跳ね返す強度を備えるものを使用することが好ましいが、ボールが当たった際に少し撓って、元の形状に戻ろうとするもの、即ち強度と少しの撓み性を備える素材がさらに好ましい。例えば、発泡ポリプロピレンなどの発泡樹脂板材、樹脂板材、木板材、金属板材等である。
【００３３】
第１層１１の厚さｔ１、第２層１２の厚さｔ２及び第３層１３の厚さｔ３の関係は、以下の関係とすることが好ましい。第２層１２は衝撃吸収性が要求されるので、その厚さｔ２は一番厚く設け、第３層１３は強く跳ね返すことができて且つ軽量であることが好ましいので、薄い板材で良く、その厚さｔ３は一番薄くて良く、第１層１１の厚さｔ１はボールBが直接当たるときの高反発性と耐磨耗性を備えることが要求されるので、第２層１２の厚さｔ２よりも薄くて、第３層１３の厚さｔ３よりも厚いものが好ましい。その結果、第１層１１、第２層１２及び第３層１３の厚さは、ｔ２≧ｔ１＞ｔ３の厚さ関係にあることが好ましい。
【００３４】
第１層１１、第２層１２及び第３層１３が、上述したように、それぞれの機能を満足するための特性について調査した。その中で、特に、ボールBを当てた際の跳ね返り特性が大きく影響するので、本発明では、この跳ね返り特性をリバウンド性として、第１層１１、第２層１２及び第３層１３について、それぞれ実験して調査した。
【００３５】
本発明で使用するブロック体１０のリバウンド性について詳細に説明する。ブロック体１０をカバー１５で包んで、フレーム１６と組み合わせた。なお、ブロック体１０やカバー１５については後で詳細に説明する。この状態で、図２に示すように、カバー１５の表面１５aを上に向けた状態で、フレーム１６を地面に接した状態で、フレームと組み合わせた状態でブロック体を横倒わせる。そして、カバー１５の表面１５aより２ｍ上方からバレーボールBを自然落下させ、その時のリバウンド距離を測定し、このリバウンド距離を本発明ではリバウンド性とした。バレーボールBは、図１と場合と同様に、直径２１０ｍｍ、重量２７０ｇ、内圧０．３２ｈｐａの５号球を使用した。
【００３６】
上述したように、第１層１１、第２層１２及び第３層１３がそれぞれの機能を満足するためには、第１層１１が１００ｍｍ〜２００ｍｍ、特に１１５ｍｍ〜１８０ｍｍのリバウンド性を備え、第２層１２が第１層１１のリバウンド性よりも低くて且つ１５０ｍｍ以下、特に１３０ｍｍ以下のリバウンド性を備え、第３層１３が２２０ｍｍ〜３２０ｍｍ、特に２４０ｍｍ〜３００ｍｍのリバウンド性を備え、第１層１１、第２層１２及び第３層１３を積層した際のリバウンド性が１００ｍｍ〜２２０ｍｍ、特に１２５ｍｍ〜１８５ｍｍであることが好ましい結果となった。また、第１層１１と第２層１２を積層した際のリバウンド性が９０ｍｍ〜１７０ｍｍ、特に１１０ｍｍ〜１５０ｍｍであることが好ましい結果となった。
【発明を実施するための最良の形態】
【００３７】
以下、本発明の実施形態を図面に基づいて説明する。
【００３８】
（実施形態１）
図３ないし図６に基づいて、実施形態１を説明する。バレーボールのブロックやアタックの練習時に使用するブロック体１０が図３に示されている。このブロック体１０は略矩形状であって、表面の高反発性部材からなる第１層１１と、第１層１１の後側に配設され、クッション性を備えた衝撃吸収部材からなる第２層１２と、第２層１２の後側に配設され、形状維持性に優れたベース板材からなる第３層１３とからなっている。
【００３９】
第１層１１の表面はフラット面であって、バレーボールBが当たった際に跳ね返りのばらつきが生じないように形成されている。第２層１２の下端面１２a及び第３層１３の下端面１３aが、第１層１１の下端面１１aよりも窪んで窪み１４として形成されている。
【００４０】
ブロック体１０は、図４及び図５に示すように、取替え可能なカバー１５で覆われている。図示は省略するが、カバー１５は、ファスナーやマジックテープ（登録商標）等で開閉可能になっており、ブロック体１０を出し入れ可能に形成されている。カバー１５の表面１５aは第１層１１の表面に合わせてフラット面に形成され、この表面１５aは、図６に示すように、中央部分１５aaとその両側１５aｂとに横方向に３つの領域に区分され、中央部分１５aaと周辺部分１５aｂとで別色に形成されている。このことにより、意図的に中央部分１５aaを狙ってアタックしたり、周辺部分１５aｂを狙ってアタックしたりする練習が効果的に実践できる。この区分の形成は、３区分に限られるものでは無く、左右２区分でも良く、また３区分よりも多くしても良い。また、上下方向に、例えば、３区分としても良い。更には、左右の区分と上下の区分とを組み合わせて、例えば３区分ずつで合計９区分としても良い。
【００４１】
図５に示すように、カバー１５の裏面１５ｂには、フレーム１６と組立・分離可能な取付部２０が設けられている。取付部２０の詳細は後で説明する。フレーム１６は、カバー１５の裏面１５ｂの両側面に対応する位置（即ち、ブロック体１０の両側面に対応する位置）から下方に向かって伸びる２本の支柱１７と、この支柱１７の上端部（ブロック体１０の上端部に対応する位置）と中間部（ブロック体10の下端部に対応する位置）でそれぞれ横に連結する２本の横バー１８を有する。支柱１７の上方部分１７aと横バー１８とで、略ブロック体１０の矩形形状に対応する矩形状を形成し、ブロック体を支えるようになっている。この支柱１７の下方部分１７ｂの下端部にゴム材などの衝撃吸収材からなるグリップ部１９が被せてあり、ブロック時に人の掌にかかる衝撃や振動等を軽減するようになっている。
【００４２】
取付部２０は、図５に示すように、カバー１５の裏面１５ｂの両側部に支柱１７の上方部分１７aを覆うような布製シート２１が設けられている。この布製シート２１の外側端部がカバー１５の裏面１５の両側部に縫製等で取付けられ、布製シート２１の内側端部にマジックテープ（登録商標）等の接合部が設けられ、該接合部が、裏面１５ｂに設けられた被接合部２２に接離可能になっている。カバー１５の裏面１５の上下端部には、横バー１８に対応する部分に、支柱１７の上方部分１７aと同様な布製シート２３が設けられている。この詳細構造は省略するが、例えば、布製シート２３が上下に２部材からなり、これら上下2部材が、フック等で接合・分離可能な構造となっている。
【００４３】
次にブロック体１０の使用状態について説明する。使用時には、ブロック体１０をカバー１５に収納した状態で、カバー１５にフレーム１６を組付けた状態とする。そして、図４に示すように、窪み１４をネットNの上端部に位置させるようにして、ネットNの一方側に第１層１１の下端面１１aが位置し、第２層１２の下端面１２a及び第３下端面１３aがネットNの上端部の上方に位置し、支柱１７がネットNの他方側に位置するようにして、即ち、第１層１１、窪み１４及び支柱１７とでネットNの上端部を跨いだ状態で配置される。このような状態で、コーチ等の人が支柱１７のグリップ部１９を持つようになっている。このようにネットNの上端部に持たれかけることで、人がブロック体１０を支えている時の負担が軽減される。
【００４４】
なお、上記実施形態では、窪み１４を第２層及び第３層で形成しているが、第２層のみで窪みを形成し、第３層は第１層と同じ下端面に形成するようにしても良い。
【００４５】
実施例１
本発明に関わる実施形態１の構成のブロック体１０について、ブロック時の跳ね返り距離をテストした。第１層として、２０ｍｍの厚さで、１３５ｍｍのリバウンド性からなるポリエチレンフォーム、第２層として２５ｍｍの厚さで、１１５ｍｍのリバウンド性からなるウレタンスポンジ、第３層として３ｍｍの厚さで、２７０ｍｍのリバウンド性からなる発泡ポリプロピレンを使用した。第１層と第２層とを合わせた際のリバウンド性が１３０ｍｍ、第１層、第２層及び第３層とを合わせた際のリバウンド性が１４５ｍｍであった。
【００４６】
このブロック体１０について、図１に示すように、直径２１０ｍｍ、重量２７０ｇ、内圧０．３２ｈｐａの５号球のバレーボールを、時速６０ｋｍのスピードでブロック体１０に当てて、その跳ね返り距離を１００回計測した。その結果、平均は６０．２２ｃｍであった。目標とする６０ｃｍに近いブロック体１０が得られた。
【００４７】
実施例２
実施例１に対して、第１層の厚さを２５ｍｍの厚さとし、１４５ｍｍのリバウンド性からなるポリエチレンフォームとした。このブロック体１０について、実施例1と同様にテストした。その結果、平均は６０．５５ｃｍであった。目標とする６０ｃｍに近いブロック体１０が得られた。
【００４８】
実施例３
実施例１に対して、第２層の厚さを３５ｍｍの厚さとし、１００ｍｍのリバウンド性からなるウレタンスポンジとした。このブロック体１０について、実施例1と同様にテストした。その結果、平均は５９．８５ｃｍであった。目標とする６０ｃｍに近いブロック体１０が得られた。
【００４９】
比較例１
特許文献１に示す内容に類似した構造のものを作成した。具体的には、布製の袋体内部が隔壁材で３つの空間に仕切られ、各空間に発泡ポリスチロール板を３枚重ね、この発泡スチロール板の上側にウエスを２〜３枚重ねたものを作成し、塩ビパイプ製のフレームで支える構成とした。隔壁材としては、縫製で前面と背面とを縫いつけて、発泡スチロールが別の空間に移動しないようにした。発泡スチロール３枚を重ねた厚さは７５ｍｍとした。袋体の大きさは、縦：５００ｍｍ、横７００ｍｍで、表面のかまぼこ状の山谷の距離差は１０ｍｍとした。
【００５０】
そして、実施例１〜３と同様に、図２に示すようなバレーボールの落下テストを行った。
その結果、リバウンド性が、山部分：３９０ｍｍ、谷部分：３２０ｍｍ、両者の間部分：３５０ｍｍであった。この結果から解かるように、明らかにリバウンド性が高すぎた。このリバウンド性であると、図１に示すような、跳ね返り距離を測定するテストを行うと、６０ｃｍを大きく超えて跳ね返る結果となるのは明らかであり、敢えて図１に示すテストは行わなかった。また、バレーボールが当たる位置によってバラツキが大きくて、実際のブロックとの違いが大きくて実践に使用できないことが判明した。
【産業上の利用可能性】
【００５１】
以上説明したように、本発明に関わるブロック体は、バレーボールのブロック、アタックなどの練習用に使用可能である。
【図面の簡単な説明】
【００５２】
【図１】バレーボールの跳ね返り距離を測定するテスト状態を説明する図である。
【図２】バレーボールのリバウンド性を測定するテスト状態を説明する図である。
【図３】実施形態１に係わり、ブロック体の斜視図を示す。
【図４】実施形態１のブロック体を用いて、使用状態を説明する図である。
【図５】実施形態１に関わり、カバーとフレームの組み付け状態を説明する背面斜視図を示す。
【図６】実施形態１に係わり、カバーの表面斜視図を示す。
【図７】従来技術のブロック体及びカバーの断面図を示す。
【図８】図７の側面図を示す。
【符号の説明】
【００５３】
Ｂ    バレーボール
１０  ブロック体
１１  第１層
１２  第２層
１３  第３層    
１４  窪み
１５  カバー
１６  フレーム
１７  支柱
１８  横バー
１９  グリップ部
２０  取付部
【図１】
2008110163.tif 000003
【図２】
2008110163.tif 000004
【図３】
2008110163.tif 000005
【図４】
2008110163.tif 000006
【図５】
2008110163.tif 000007
【図６】
2008110163.tif 000008
【図７】
2008110163.tif 000009
【図８】
2008110163.tif 000010